(57)【要約】      （修正有）【課題】木質の特性を発揮でき、防振効果により、スマートフォン等が発するスピーカー本体の箱鳴りや共振を抑え、かつ協和音と考えられる和音感覚とか、絶妙のハーモニー感覚等の特徴を達成しつつ、独自性のある音質で音を再生するスマートフォン、携帯音楽プレーヤー又は携帯電話用のスピーカーを提供する。【解決手段】筐体１には、スマートフォン、携帯音楽プレーヤー、又は携帯電話でなる機器の差込口１２に繋がる音響通路となる導音部７を形成し、導音部７の開放口７ｂを、差込口１２と対峙、かつ拡開形状とし、導音部７は、仕切り板８を設けて区画する。導音部７の広がりで音を拡散し、かつ導音部７に設けた複数枚の仕切り板８により、和音感覚とか、絶妙のハーモニー感覚とかを達成できる。【選択図】図１
0003195676.tif 000002
【実用新案登録請求の範囲】
【請求項１】
筐体には、スマートフォン、携帯音楽プレーヤー、又は携帯電話でなる機器の差込み開口を形成するとともに、この差込み開口に繋がる音響通路となる導音部を形成し、
この導音部は、基端側の開口から、開放口に向かって拡開形状とし、
かつこの導音部には、仕切り板を設けて区画する構成としたスマートフォン、携帯音楽プレーヤー又は携帯電話用のスピーカー。
【請求項２】
前記導音部の開放口の開口端面が広く、この導音部の基端側の開口端面が狭くなる構成とした請求項１に記載のスマートフォン、携帯音楽プレーヤー又は携帯電話用のスピーカーであって、次のよう構造である。
開放口の開口端面＞基端側の開口端面
【請求項３】
前記筐体は、左右の側板と、この左右側板の上下を繋ぐ拡開形状の上下板と、この上下板間に立設した数枚の仕切り板とで形成するとともに、前記上板の収斂部に、前記差込み口を開設する構成とした請求項１に記載のスマートフォン、携帯音楽プレーヤー又は携帯電話用のスピーカー。
【請求項４】
前記スマートフォン、携帯音楽プレーヤー又は携帯電話は、下側に音響出口（スピーカー配置部）が設けられている構成とした請求項１に記載のスマートフォン、携帯音楽プレーヤー又は携帯電話用のスピーカー。
【請求項５】
前記差込み開口の下側に、載せ台を形成し、この差込み開口とこの載せ台との間に、音響開口を形成する構成とした請求項１に記載のスマートフォン、携帯音楽プレーヤー又は携帯電話用のスピーカー。
【請求項６】
前記筐体は、木製でなる構成とした請求項１に記載のスマートフォン、携帯音楽プレーヤー又は携帯電話用のスピーカー。
【考案の詳細な説明】
【技術分野】
【０００１】
本考案は、スマートフォン、携帯音楽プレーヤー又は携帯電話用のスピーカー装置に関する。
【背景技術】
【０００２】
スピーカー筐体に、スマートフォン、携帯音楽プレーヤー、又は携帯電話（携帯電話機）（以下スマートフォン等とする）をそのまま装填し、それらの音響パワー、及び／又は、音質（低音と高音の音域）を適度な広さのリスニング空間で楽しめるようにレベルアップできるスピーカー装置が提案されている。例えば、特開２０１２−１７５２５５号公報がある。この文献１は、スピーカー装置に、第１・第２のスピーカーを有し、スマートフォン等をセットする差込み支持する装填スロットとで構成し、この第１・第２のスピーカーと装填スロットとを音孔で連通し音響通路を形成した構造である。その特徴は、一方のスピーカー（第１又は第２のスピーカー）からの放射音をリスナーに向けて直接音とし、他方のスピーカー（第２又は第１のスピーカー）からの放射音を間接音として利用することにある。
【０００３】
しかし、この文献１の発明では、樹脂素材で形成することで、木質の特性を発揮できない。例えば、防振効果により、スマートフォン等が発するスピーカー本体の箱鳴りや共振を抑え、温かみのある独特な音質で音を再生することは不可能である。
【０００４】
また、この文献１の発明では、第１・第２のスピーカーを有し、音を分岐しつつ、直線的に導音する構造である。従って、スマートフォン等の発する音を、増音すること、又はスマートフォン等単体の音を奏でるに留まること、等の改良点が挙げられる。
【０００５】
その他として、スマートフォン等の音源から出力された音響を、そのまま大きく増幅する音響装置が提供されている。例えば、特開２０１４−７４９０９号公報がある。この文献２は、スマートフォン等差込み口を備えた、音響入口と音響出口を持つ音響箱小体を多段に設けるとともに、この音響箱小体に積上げる音響箱連接体、並びにスマートフォン等を立掛ける前板体とで構成する。この文献２の発明は、迂回導音部を有する特徴がある。この迂回導音部の迂回ピッチ、及び領域が、連続性かつ上下方向における繰返しとなる。従って、導音のスムースな流れが期待できないこと、又は調音効果も期待できないこと、等が思料される。そして、この文献２は、音響箱筐体を木製とすることが開示されているが、一部部分であり、木質の特性を発揮できない。
【０００６】
【特許文献１】特開２０１２−１７５２５５号公報
【特許文献２】特開２０１４−７４９０９号公報
【考案の概要】
【考案が解決しようとする課題】
【０００７】
従来のホーン装置とか、音響装置では、導音部（音響通路）に仕切り板（仕切り壁）が無く、単に音（音響）が拡散するに留まる。従って、音の多元的に拡散すること、例えば、協和音と考えられる和音感覚とか、絶妙のハーモニー感覚等を期待するには、必ずしも十分とは考えられない。また、音の多元的、かつスムースな流れの確保（導音性の確保）と、又は調音効果を期待すること、等に関して十分ではない。さらに、従来のホーン装置とか、音響装置では、音響箱筐体を木製とすることが開示されているが、一部部分であることと、必要とする板厚に関しての記述も無く、木質の特性を発揮できないと考えられる。
【課題を解決するための手段】
【０００８】
上記に鑑み、本考案は、木質の特性を発揮できる構成とし、防振効果により、スマートフォン等が発するスピーカー本体の箱鳴りや共振を抑え効果が期待でき、かつ協和音と考えられる和音感覚とか、絶妙のハーモニー感覚等が期待でき、等の特徴を達成しつつ、独自性のある音質で音を再生することを意図する。
【０００９】
本考案は、筐体の木質の厚みを確保した構造と、導音部の広がり（拡散）で音を拡散し、かつ導音部に設けた複数板の仕切り板により、和音感覚とか、絶妙のハーモニー感覚とかを達成できる構造とする。そして、導音部は開放口（開口部）へ向かって徐々に容積が大きくなる構成であり、この構成により、スマートフォン等より出力された音を、先達の開放口（開口部）に向かって押出すように移動することで、徐々に音を増幅させながら開放口へと音を導きえる構造とし、スマートフォン等単体とは異なる音を奏で得る特徴等を達成することを意図する。
【００１０】
この意図を達成する為に、本考案は、請求項１−請求項６を提案する。
【考案の効果】
【００１１】
請求項１の考案は、筐体には、スマートフォン、携帯音楽プレーヤー、又は携帯電話でなる機器の差込み開口を形成するとともに、差込み開口に繋がる音響通路となる導音部を形成し、
導音部は、基端側の開口から、開放口に向かって拡開形状とし、
かつ導音部には、仕切り板を設けて区画するスマートフォン等のスピーカーであり、導音部の広がり（拡散）で音を拡散し、かつ導音部に設けた複数枚の仕切り板により、和音感覚とか、絶妙のハーモニー感覚とかを達成できる特徴がある。また、請求項１の考案は、導音部は開放口（開口部）へ向かって徐々に容積が大きくなる構成であり、この構成により、スマートフォン等より出力された音を、先達の開放口（開口部）に向かって押出すように移動することで、徐々に音を増幅させながら開放口へと音を導きえる構造とし、スマートフォン等単体とは異なる音を奏で得る特徴、又はスマートフォン等より出力させる音の能率を大幅に増大させ、指向性を持って目的の方向へ音を増幅させ遠くへ飛ばせる効果（スピーカー効果）とが達成できる。
【００１２】
請求項２の考案は、筐体は、導音部の開放口の開口端面が広く、導音部の基端側の開口端面が狭くなるスマートフォン、携帯音楽プレーヤー又は携帯電話用のスピーカー装置であって、次のよう構造である。
開放口の開口端面＞基端側の開口端面
従って、請求項１の特徴を達成できることと、この特徴達成に有益な導音部の一連の開口端面構造を提供できる。
【００１３】
請求項３の考案は、筐体は、左右の側板と、左右側板の上下を繋ぐ拡開形状の上下板と、上下板間に立設した数枚の仕切り板とで形成するとともに、上板の収斂部に、前記差込み口を開設するスマートフォン、携帯音楽プレーヤー又は携帯電話用のスピーカーであり、請求項１の特徴を達成できることと、スマートフォン等の音に変化を持たせて、聴衆者を楽しめ得る構造のスピーカーの筐体の構造を提供できること、等の特徴がある。
【００１４】
請求項４の考案は、スマートフォン、携帯音楽プレーヤー又は携帯電話は、下側に音響
出口（スピーカー配置部）が設けられているスマートフォン、携帯音楽プレーヤー又は携帯電話用のスピーカー装置であり、請求項１の特徴を達成できることと、スマートフォン等を差込むことで、スピーカーを利用できること、等の特徴がある。
【００１５】
請求項５の考案は、差込み開口の下側に、載せ台を形成し、差込み開口と載せ台との間に、音響開口を形成する構成とした請求項１に記載のスマートフォン、携帯音楽プレーヤー又は携帯電話用のスピーカーであり、請求項１の特徴を達成できることと、スマートフォン等の音に変化を持たせて、聴衆者を楽しめ得る構造のスピーカーの差込み口の構造を提供できること、等の特徴がある。
【００１６】
請求項６の考案は、筐体は、木製でなるスマートフォン、携帯音楽プレーヤー又は携帯電話用のスピーカー装置であり、請求項１の特徴を達成できることと、木質の特性を発揮できる構成とし、防振効果により、スマートフォン等が発するスピーカー本体の箱鳴りや共振を抑え、温かみのある独特な音質で音を再生することが可能となり、極めて、実用的であること、等の特徴がある。
【図面の簡単な説明】
【００１７】
【図１】本考案の俯瞰図
【図２】本考案の平面図
【図３】本考案の断面図
【図４】本考案の使用状態の側面図
【考案を実施するための形態】
【００１８】
以下、本考案の好ましい一実施例を説明する。
１はスマートフォン、携帯音楽プレーヤー、又は携帯電話を差入れ保持する筐体で、この筐体１は、図２において平面視して、三角形の左右二辺に配置した左右の側板２、３、及び、この側板２、３の上下に配され、かつこの側板２、３を固定する拡開形状（三角州形状）の上下板５、６で構成した導音部７と、この導音部７を区画するように数個設けた仕切り板８、８…とで構成する。図中１０、１１は音響板で、側板２、３の厚みの保護と音響効果達成が目的である。
【００１９】
音響部７に仕切り板８を、例えば、数枚垂直形状に設置することで、音響部７を複数の部屋（区画室７００）に区画する構造である。
【００２０】
そこで、一例として、その厚みを列挙する。側板２、３は１ｃｍ、高さ６．５ｃｍ、仕切り板８の厚みは１ｃｍ、また、上板５、６は丈が１６ｃｍ、基端側は直角である。開放側は２２ｃｍでなる。この数値は、前述した如く、一例であり限定されない。従って、この例に限定されず、筐体１、及び／又は、それぞれの部材等を含めた態様、或いは形態の大小、又は高さとの関係等により変更される。この説明の例では、筐体１において、木材の占有面積を確保し、防振効果により、スマートフォンＨ等が発するスピーカー本体の箱鳴りや共振を抑え、温かみのある独特な音質で音を再生することが可能となり、極めて、実用的であること、楽しい音色を聴講、又は聞き取ることができること、等の特徴がある。
【００２１】
上板５の基端側のやや内方に、差込み開口１２を形成する。差込み開口１２の下側には、載せ台１３が設けられている。載せ台１３は、スマートフォンＨを支持するとともに、差込み開口１２との間に音響開口１５を形成するための部材である。音響開口１５は、音響室７の各区画室７００にそれぞれ繋がる。従って、載せ台１３にスマートフォンＨを載せた場合に、発音部（図示せず）が音響開口１５の下に位置することが望ましい。
【００２２】
従って、スマートフォンＨの音は、次のようなルートで、基端側の開口７ａより、導音部７の区画室７００を経由し、分岐され、かつ押されながら移動し、徐々に音を増幅させながら開放口７ｂへと導かれる。この開放口７ｂより外部に拡散される。尚、基端側の開口７ａ端面（基端側の開口７ａ面積）に対して、開放口７ｂの開口端面（開放口７ｂの開口面積）が大きい構成を基本とする。
【００２３】
前述した各構造は、本考案の好ましい一例の説明である。従って、本考案は上述した各実施例に限定されるものではなく、考案の趣旨の範囲において構成の一部を変更する構造とか、同じ特徴と効果を達成できる構造、等は、本考案の範疇である。
【符号の説明】
【００２４】
１  筐体
２  側板
３  側板
５  上板
６  下板
７  導音部
７ａ  開口
７ｂ  開放口
７００  区画室
８  仕切り板
１０  音響板
１１  音響板
１２  差込み開口
１３  載せ台
１５  音響開口
Ｈ  スマートフォン等
【図１】
0003195676.tif 000003
【図２】
0003195676.tif 000004
【図３】
0003195676.tif 000005
【図４】
0003195676.tif 000006